(57)【要約】【課題】読取対象の原稿に高反射率の部位が含まれている場合に予め設定された異常対応処理を実行することのできる画像読取装置及び画像形成装置を提供すること。【解決手段】原稿に光を照射するＬＥＤ光源１２１と、原稿からの反射光に基づいて前記原稿の画像データを示すアナログ信号を出力するＣＣＤ１６と、前記ＣＣＤ１６から出力された前記アナログ信号を少なくともライン周期でクランプするＣＤＳ４２１と、前記ＣＤＳ４２１から出力された前記アナログ信号をデジタル信号に変換するＡＤＣ４２３と、を備えてなり、前記ＣＣＤ１６から出力された前記アナログ信号の振幅を検出し、その検出された前記アナログ信号の振幅が予め設定された異常振幅以上である場合に予め設定された異常対応処理を実行する。【選択図】図２
2014068241.tif 000002
【特許請求の範囲】
【請求項１】
原稿に光を照射する光源と、
前記原稿からの反射光に基づいて前記原稿の画像データを示すアナログ信号を出力する縮小光学系と、
前記縮小光学系から出力された前記アナログ信号を少なくともライン周期でクランプするクランプ手段と、
前記クランプ手段から出力された前記アナログ信号をデジタル信号に変換する信号変換手段と、
前記縮小光学系から出力された前記アナログ信号の振幅を検出する振幅検出手段と、
前記振幅検出手段により検出された前記アナログ信号の振幅が予め設定された異常振幅以上である場合に予め設定された異常対応処理を実行する制御手段と、
を備えてなる画像読取装置。
【請求項２】
前記異常対応処理が、前記光源から前記原稿に照射される光の強度を低下させる処理を含むものである請求項１に記載の画像読取装置。
【請求項３】
前記クランプ手段が、前記縮小光学系から出力される前記アナログ信号をライン周期でクランプするラインクランプと前記縮小光学系から出力される前記アナログ信号をビット周期でクランプするビットクランプとを選択的に実行するものであって、
前記異常対応情報が、前記クランプ手段に前記ビットクランプを実行させる処理を含むものであって、
前記制御手段が、前記振幅検出手段により検出された前記アナログ信号の振幅が予め設定された異常振幅未満である場合は前記クランプ手段に前記ラインクランプを実行させるものである請求項１又は２のいずれかに記載の画像読取装置。
【請求項４】
前記異常対応処理が、前記振幅検出手段により検出された前記アナログ信号の振幅が前記異常振幅以上である旨を示す情報を表示する処理を含むものである請求項１〜３のいずれかに記載の画像読取装置。
【請求項５】
前記制御手段は、前記異常対応処理の実行後に前記原稿の画像データの読取動作を前記画像読取装置に再実行させるものである請求項２又は３のいずれかに記載の画像読取装置。
【請求項６】
請求項１〜５のいずれかに記載の画像読取装置と、
前記画像読取装置で読み取られた画像データに基づいて画像を形成する画像形成手段と、
を備えてなる画像形成装置。
【発明の詳細な説明】
【技術分野】
【０００１】
本発明は、原稿から画像データを読み取る画像読取装置及びこれを備えてなる画像形成装置に関するものである。
【背景技術】
【０００２】
スキャナー、ファクシミリ装置、コピー機及び複合機などの画像読取装置は、例えば縮小光学系の撮像素子であるＣＣＤを用いて、原稿台に載置された原稿から画像データを読み取る。このように縮小光学系を用いた画像読取手段では、ＬＥＤ光源から原稿に光が照射され、原稿からの反射光が複数のミラー及びレンズなどを介してＣＣＤに入力される。これにより、前記ＣＣＤは、前記反射光を光電変換によりアナログ信号に変換して画像データとして出力する。そして、前記ＣＣＤから出力された前記画像データは、クランプ回路によってクランプされた後、アナログ−デジタル変換回路によってデジタル信号の画像データに変換される。ここで、前記クランプ回路は、例えば前記画像データに対してライン周期でクランプするラインクランプを実行するものである（例えば特許文献１参照）。前記ラインクランプは、ビット周期でクランプするビットクランプに比べてクランプの回数が少ないため省電力化及び画像データの読み取り速度の向上に有効である。
【先行技術文献】
【特許文献】
【０００３】
【特許文献１】特開２００６−１０１４９８公報
【発明の概要】
【発明が解決しようとする課題】
【０００４】
ところで、一般にキャッシュカード及びクレジットカード等のカードの表面に記載される文字及び数字はエンボス加工による鏡面の凸部として形成されることがある。そして、前記カードなどを原稿として前記画像読取装置により画像データを読み取ると、前記ＬＥＤ光源から照射された光が前記鏡面の凸部で乱反射する。この場合、前記ＣＣＤに過大な光が入射して前記ＣＣＤから過大な振幅のアナログ信号が出力されることにより各種の問題が生じる。
具体的に、前記クランプ回路及び前記アナログ−デジタル変換回路に定格を超える過大な振幅のアナログ信号が入力されると、前記クランプ回路及び前記アナログ−デジタル変換回路が誤動作するおそれがある。また、過大な振幅のアナログ信号により漏れ電流が生じて前記クランプ回路によるオフセットレベルが変化し、前記アナログ−デジタル変換回路で誤ったデジタル信号への変換が行われるおそれもある。特に、前記クランプ回路におけるサンプリング方式がラインクランプである場合には、１ライン上の特定の画素で生じた過大振幅の影響が同一ライン上の最後の画素まで残存することになる。また、前記ＣＣＤから過大な振幅のアナログ信号が出力されたことをユーザーが知る手段がなかったため、ユーザーにより原稿の反射率を抑えるためにフィルムを被せるなどの処置が行われることも期待できなかった。
なお、このような問題は前記カードに限らず、鏡面などの高反射率の部位を有する原稿から画像データを読み取る場合に生じる。なお、自己発光するライトを有するスマートフォン及びタブレット端末などの表示パネルから画像データを読み取る際にも同様の問題が生じる。
従って、本発明は前記事情に鑑みてなされたものであり、その目的とするところは、読取対象の原稿に高反射率の部位が含まれている場合に予め設定された異常対応処理を実行することのできる画像読取装置及び画像形成装置を提供することにある。
【課題を解決するための手段】
【０００５】
前記目的を達成するために本発明は、光源、縮小光学系、クランプ手段、変換手段、振幅検出手段、及び制御手段を備えてなる画像読取装置である。前記光源は、原稿に光を照射するものである。前記縮小光学系は、前記原稿からの反射光に基づいて前記原稿の画像データを示すアナログ信号を出力するものである。前記クランプ手段は、前記縮小光学系から出力された前記アナログ信号を少なくともライン周期でクランプするものである。前記信号変換手段は、前記クランプ手段から出力された前記アナログ信号をデジタル信号に変換するものである。前記振幅検出手段は、前記縮小光学系から出力された前記アナログ信号の振幅を検出するものである。前記制御手段は、前記振幅検出手段により検出された前記アナログ信号の振幅が予め設定された異常振幅以上である場合に予め設定された異常対応処理を実行するものである。
また、本発明は、前記画像読取装置と、前記画像読取装置で読み取られた画像データに基づいて画像を形成する画像形成手段と、を備えてなる画像形成装置の発明として捉えてもよい。
【発明の効果】
【０００６】
本発明によれば、読取対象の原稿に高反射率の部位が含まれている場合に予め設定された異常対応処理を実行することのできる画像読取装置及び画像形成装置が提供される。
【図面の簡単な説明】
【０００７】
【図１】本発明の実施の形態に係る複合機の概略構成図。
【図２】本発明の実施の形態に係る複合機の制御部の構成を示すブロック図。
【図３】異常対応処理の手順の一例を説明するためのフローチャート。
【発明を実施するための形態】
【０００８】
以下添付図面を参照しながら、本発明の実施の形態について説明し、本発明の理解に供する。なお、以下の実施の形態は、本発明を具体化した一例であって、本発明の技術的範囲を限定する性格のものではない。
【０００９】
＜複合機Ｘの概略構成＞
まず、図１を参照しつつ、本発明の実施の形態に係る複合機Ｘの概略構成について説明する。なお、図１（Ａ）は、前記複合機Ｘの模式断面図、図１（Ｂ）は、図１（Ａ）におけるＡ−Ａ矢視模式図である。
前記複合機Ｘは、画像読取部１、ＡＤＦ２、画像形成部３、制御部４、及び操作表示部５などを備えている。前記操作表示部５は、前記制御部４からの制御指示に従って各種の情報を表示し、前記制御部４に対して各種の情報を入力するためのタッチパネルなどである。
ここに、前記複合機Ｘは、本発明に係る画像読取装置及び画像形成装置の一例に過ぎない。例えば、少なくとも前記画像読取部１及び前記制御部４を備えるスキャナー、ファクシミリ装置、及びコピー機なども本発明に係る画像読取装置又は画像形成装置に該当する。
【００１０】
前記画像形成部３は、前記画像読取部１で読み取られた画像データ、又は外部のパーソナルコンピューター等の情報処理装置から入力された画像データに基づいて用紙に画像を形成する電子写真方式の画像形成手段である。
具体的に、前記画像形成部３は、給紙カセット３０、感光体ドラム３１、帯電装置３２、現像装置３３、トナーコンテナ３４、転写ローラー３５、除電装置３６、定着ローラー３７、加圧ローラー３８、及び排紙トレイ３９などを備えている。そして、前記画像形成部３では、前記給紙カセット３０から供給される用紙に以下の手順で画像が形成され、画像形成後の用紙は前記排紙トレイ３９に排紙される。
まず、前記帯電装置３２によって前記感光体ドラム３１が所定の電位に一様に帯電される。次に、不図示のレーザスキャナユニット（ＬＳＵ）により前記感光体ドラム３１の表面に画像データに基づく光が照射される。これにより、前記感光体ドラム３１の表面に静電潜像が形成される。そして、前記感光体ドラム３１上の静電潜像は前記現像装置３３によってトナー像として現像（可視像化）される。なお、前記現像装置３３には、前記トナーコンテナ３４からトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過して排出される際に前記定着ローラー３７で加熱されて溶融定着する。なお、前記感光体ドラム３１の電位は前記除電装置３６で除電される。
【００１１】
前記画像読取部１は、コンタクトガラス１１、読取ユニット１２、ミラー１３、１４、光学レンズ１５、及びＣＣＤ（Charge  Coupled  Device）１６などを備えた画像読取手段である。
前記コンタクトガラス１１は、前記画像読取部１の上面に設けられており、前記複合機Ｘの画像読取対象となる原稿Ｐが載置される透明な原稿台である。そして、前記画像読取部１は、前記制御部４によって制御されることにより、前記コンタクトガラス１１上に載置された前記原稿Ｐから画像データを読み取る。
前記読取ユニット１２は、ＬＥＤ光源１２１及びミラー１２２を備えており、ステッピングモーター等の駆動モーターを用いた不図示の移動機構によって図１（Ａ）における左右方向（副走査方向）へ移動可能に構成されている。そして、前記駆動モーターにより前記読取ユニット１２が副走査方向に移動されると、前記ＬＥＤ光源１２１から前記コンタクトガラス１１上に照射される光が副走査方向に走査される。
前記ＬＥＤ光源１２１は、図１（Ａ）における奥行き方向（主走査方向）に沿って配列された多数の白色ＬＥＤを備えており、前記コンタクトガラス１１上の読取位置１２Ａにある前記原稿Ｐに向けて１ライン分の白色光を照射する。なお、前記読取位置１２Ａは、前記読取ユニット１２の副走査方向への移動に伴って副走査方向に移動する。
前記ミラー１２２は、前記ＬＥＤ光源１２１から前記読取位置１２Ａにある前記原稿Ｐに光を照射したときの反射光を前記ミラー１３に向けて反射させる。そして、前記ミラー１２２で反射した光は、前記ミラー１３、１４によって前記光学レンズ１５に導かれる。前記光学レンズ１５は、入射した光を集光して前記ＣＣＤ１６に入射させる。
前記ＣＣＤ１６は、受光した光をその光量に応じた電気信号（電圧）に変換し、画像データとして出力する光電変換素子であって縮小光学系の一例である。具体的に、前記ＣＣＤ１６は、前記ＬＥＤ光源１２１から光が照射されたときに前記原稿Ｐから反射した光に基づいて前記原稿Ｐの画像データを示すアナログ信号（以下、「アナログ画像データ」という）を出力する。なお、前記ＣＣＤ１６に過大な光が入射すると、前記ＣＣＤ１６は前記過大な光に応じて過大な振幅の前記アナログ画像データを出力することになる。前記ＣＣＤ１６から出力された前記アナログ画像データは前記制御部４に入力される。
【００１２】
前記ＡＤＦ２は、原稿セット部２１、複数の搬送ローラー２２、原稿押さえ２３、及び排紙部２４などを備えた自動原稿送り装置である。また、前記ＡＤＦ２は、前記原稿台１１に対して開閉可能であり、前記原稿台１１のカバーを兼ねている。
前記ＡＤＦ２は、前記搬送ローラー２２各々を不図示のモーターで駆動させることにより、前記原稿セット部２１にセットされた原稿Ｐを前記コンタクトガラス１１上の前記読取位置１２Ａを通過させて前記排紙部２４まで搬送させる。この際に、前記画像読取部１により前記読取位置１２Ａを通過する前記原稿Ｐから画像データが読み取られる。
前記原稿押さえ２３は、前記コンタクトガラス１１上の読取位置１２Ａの上方に前記原稿Ｐが通過できる間隔を隔てた位置に設けられている。前記原稿押さえ２３は、主走査方向に長尺状を成しており、その下面（コンタクトガラス１１側の面）には白色のシートが貼り付けられている。前記複合機Ｘでは、前記白色のシートの画像データが白色基準データとして読み取られる。そして、前記白色基準データは、周知のシェーディング補正などで用いられる。
【００１３】
続いて、図２を参照しつつ、前記制御部４の概略構成について説明する。
前記制御部４は、カップリングコンデンサ４１、ＡＦＥ４２、ＡＳＩＣ４３、ＳＤＲＡＭ４４、ＬＥＤドライバー４５、メイン制御部４６、及び振幅検出回路４７などを備えている。なお、前記制御部４全体が集積回路（ＡＳＩＣ）などの電子回路で構成されたものであってもよい。
前記カップリングコンデンサ４１は、前記ＣＣＤ１６から入力される前記アナログ画像データから直流成分を除去して交流成分のみを出力するものである。前記ＣＣＤ１６から出力されるアナログ画像データには、例えば１０Ｖ程度の直流成分と２Ｖ程度の交流成分とが含まれており、前記カップリングコンデンサ４１では、前記直流成分が除去された２Ｖ程度の交流成分が前記アナログ画像データとして出力される。但し、前記ＣＣＤ１６から出力された前記アナログ画像データの振幅が過大であれば、前記直流成分が除去された後の前記アナログ画像データは前記ＡＦＥ４２の規格外の負の成分（電圧）を有する信号になる場合がある。
【００１４】
前記ＡＦＥ４２は、ＣＤＳ４２１、ＡＧＣ４２２、ＡＤＣ４２３、ＤＳＰ４２４、及びタイミング制御回路４２５などの電子回路を備えるアナログフロントエンド回路である。
前記ＣＤＳ４２１は、前記ＣＣＤ１６から入力される前記アナログ画像データについて相関二重サンプリング法などに基づくノイズ除去処理を実行するものである。具体的に、前記ＣＤＳ４２１は、前記タイミング制御回路４２５から入力されるクランプ信号に従って前記アナログ画像データをクランプするクランプ回路であって、クランプ手段の一例である。
前記タイミング制御回路４２５は、前記ＣＣＤ１６及び前記制御部４の電子回路各々の動作クロック信号を出力する発信器を備えており、前記動作クロック信号に基づいてビット周期又はライン周期で前記クランプ信号を前記ＣＤＳ４２１に入力する。これにより、前記ＣＤＳ４２１は、前記タイミング制御回路４２５からビット（画素）周期で前記クランプ信号が入力されている場合は、前記アナログ画像データをビット周期でクランプするビットクランプを実行する。また、前記ＣＤＳ４２１は、前記タイミング制御回路４２５からライン周期で前記クランプ信号が入力されている場合は、前記アナログ画像データをライン周期でクランプするラインクランプを実行する。前記タイミング制御回路４２５から前記ＣＤＳ４２１に入力される前記クランプ信号の周期の初期値はライン周期であって、通常、前記ＣＤＳ４２１では前記ラインクランプが実行される。このように、前記ＣＤＳ４２１は、前記ラインクランプ又は前記ビットクランプを選択的に実行する。なお、前記ラインクランプは、前記ビットクランプよりも省電力化及び画像データの読み取り速度の向上に好適である。そして、前記ＣＤＳ４２１でノイズが除去された前記アナログ画像データは、前記ＡＧＣ４２２に入力される。
【００１５】
前記ＡＧＣ４２２は、前記ＣＤＳ４２１から入力された前記アナログ画像データを予め設定された増幅率（ゲイン）に従って増幅させるゲインコントロールアンプである。前記ＡＧＣ４２２による増幅後の前記アナログ画像データは前記ＡＤＣ４２３に入力される。
前記ＡＤＣ４２３は、前記ＡＧＣ４２２から入力された前記アナログ画像データをデジタル信号に変換するアナログデジタルコンバーターであって、信号変換手段の一例である。前記ＡＤＣ４２３でデジタル信号に変換された後の画像データ（以下、「デジタル画像データ」という）は前記ＤＳＰ４２４に入力する。
前記ＤＳＰ４２４は、前記ＡＤＣ４２３から入力されたＲＧＢ形式の前記デジタル画像データをＣＭＹＫ形式の画像データに変換する信号変換処理などを実行する。前記ＤＳＰ４２４で信号変換処理が施された後の前記デジタル画像データは、前記ＡＳＩＣ４３に入力される。
前記ＡＳＩＣ４３は、前記ＤＳＰ４２４から入力された前記デジタル画像データに対してガンマ補正及びスクリーン処理などの各種の画像処理を施す信号処理プロセッサーである。そして、前記ＡＳＩＣ４３で画像処理が施された後の前記デジタル画像データは前記ＳＤＲＡＭ４４に入力されて記録される。
前記ＳＤＲＡＭ４４は、前記デジタル画像データが記憶される画像メモリーとして用いられる記憶手段である。前記ＳＤＲＡＭ４４に対するデータの読み書きは不図示のＤＭＡＣ（ダイレクトメモリーアクセスコントローラー）等によって制御される。なお、前記ＳＤＲＡＭ４４に代えてハードディスクなどの記憶手段であってもよい。
【００１６】
また、前記ＬＥＤドライバー４５は、前記ＬＥＤ光源１２１に供給される駆動電力の電流値を制御することにより、前記ＬＥＤ光源１２１から照射される光の強度（光量）を調整するものである。具体的に、前記ＬＥＤドライバー４５は、前記メイン制御部４６から入力される制御信号に基づいて前記ＬＥＤ光源１２１の光量を調整する。
前記メイン制御部４６は、ＣＰＵ４６１、ＲＯＭ４６２、及びＲＡＭ４６３などの制御機器を有している。そして、前記メイン制御部４６は、前記ＲＯＭ４６２に記憶された所定の制御プログラムを前記ＣＰＵ４６１で実行することにより、前記複合機Ｘを統括的に制御する。また、前記ＲＡＭ４６３は揮発性の記憶手段であって前記ＣＰＵが実行する各種の処理の一時記憶メモリーとして使用される。なお、前記メイン制御部４６は、集積回路（ＡＳＩＣ、ＤＳＰ）などで構成されたものであってもよい。
また、前記ＲＯＭ４６２には、前記ＣＰＵ４６１等のコンピューターに後述の読取制御処理（図３のフローチャート参照）を実行させるための読取制御プログラムが予め記憶されている。なお、前記読取制御プログラムは、ＣＤ、ＤＶＤ、フラッシュメモリーなどの記録媒体に記録されており、前記記録媒体から前記複合機Ｘに設けられる不図示のハードディスク等の記憶手段にインストールされるものであってもよい。本発明は、前記ＣＰＵ４６１などのコンピューターに前記読取制御処理の各ステップを実行させるための読取制御プログラム、又は前記読取制御プログラムが記録されたコンピューター読み取り可能な記録媒体の発明として捉えてもよい。
前記振幅検出回路４７は、前記ＣＣＤ１６から出力される前記アナログ画像データを受信して前記アナログ画像データの振幅値を検出する振幅検出手段の一例であって、その検出された振幅値を前記メイン制御部４６に入力する。例えば、前記振幅検出回路４４は、前記ＣＣＤ１６から入力された前記アナログ画像データをデジタル信号に変換し、前記デジタル信号の所定期間における最大値及び最小値の差分値を前記振幅として検出するものである。もちろん、前記振幅検出回路４７による前記アナログ画像データの振幅値の検出手法はこれに限らない。
【００１７】
＜読取制御処理＞
以下、図３を参照しつつ、前記ＣＰＵ４６１が前記読取制御プログラムに従って実行する読取制御処理の手順の一例について説明する。ここに、係る読取制御処理を実行するときの前記ＣＰＵ４６１が本発明に係る制御手段に相当する。なお、前記ＣＰＵ４６１により実行される処理工程をステップＳ１１、Ｓ１２、・・・と称する。また、前記読取制御処理が、前記ＡＳＩＣ４３によって実行されることも他の実施形態として考えられる。
当該読取制御処理は、前記複合機Ｘにおいて、前記操作表示部５のユーザー操作又はパーソナルコンピューターなどの情報処理装置からの操作信号の受信に応じて前記制御部４によって前記画像読取部１を用いた画像読取処理が実行される場合に共に実行される。
【００１８】
［ステップＳ１１〜Ｓ１２］
ステップＳ１１において、前記ＣＰＵ４６１は、前記振幅検出回路４４から入力される振幅値に基づいて、前記ＣＣＤ１６から出力される前記アナログ画像データの振幅が予め設定された異常振幅値以上であるか否かを判断する。前記異常振幅値は、例えば前記カップリングコンデンサ４１で前記直流成分が除去された後の前記アナログ画像データが前記ＡＦＥ４２の規格外の負の成分（電圧）を有する信号になる場合の値である。もちろん、前記異常振幅値はこれに限らず、前記ＡＦＥ４２で何らかの異常が生じる可能性のある値として予め設定された値であればよい。
ここで、前記ＣＰＵ４６１は、前記アナログ画像データの振幅値として前記異常振幅値以上の振幅が検出されていない場合（Ｓ１１のＮｏ側）、処理を前記ステップＳ１１で待機させる。この場合、前記ＣＰＵ４６１は、前記タイミング制御回路４２５を制御して、前記タイミング制御回路４２５から前記ＣＤＳ４２１に入力される前記クランプ信号の周期を初期値であるライン周期に設定し、前記ＣＤＳ４２１にラインクランプを実行させる。従って、前記ＣＣＤ１６から出力される前記アナログ画像データの振幅が前記異常振幅値未満である場合には、前記ＣＤＳ４２１に前記ラインクランプを実行させることにより省電力化及び画像データの読み取り速度の向上が実現される。
一方、前記ＣＰＵ４６１は、前記アナログ画像データの振幅値として前記異常振幅値以上の振幅が検出されたと判断すると（Ｓ１１のＹｅｓ側）、前記画像読取処理を中止し（Ｓ１２）、予め設定された以下のステップＳ１３〜Ｓ１８の処理を実行する。なお、前記画像読取処理で既に読み取られて前記ＳＤＲＡＭ５４に記憶された前記デジタル画像データは前記ＣＰＵ４６１によって削除される。
【００１９】
［ステップＳ１３］
ステップＳ１３において、前記ＣＰＵ４６１は、前記ＬＥＤドライバー４５を制御することにより前記ＬＥＤ光源１２１の光量（光の強度）を低下させる。ここに、係る処理が異常対応処理の一例である。
具体的に、前記ＲＯＭ４６２には、予め設定された第１電流値と前記第１電流値よりも低い第２電流値とが記憶されている。そして、前記ＣＰＵ４６１は、前記アナログ画像データの振幅が前記異常振幅値未満である場合には、前記ＬＥＤ光源１２１に供給する電流値として前記第１電流値を前記ＬＥＤドライバー４５に入力する。一方、前記アナログ画像データの振幅が前記異常振幅値以上であると判断すると、前記ステップＳ１３において、前記ＣＰＵ４６１は、前記第２電流値を前記ＬＥＤドライバー４５に入力することにより、前記ＬＥＤ光源１２１の光量を低下させる。
なお、前記第２電流値は、例えば前記第１電流値の７０％又は８０％などの所定の割合で定められた値である。もちろん、これに限らず前記第２電流値は、前記第１電流値よりも低い値であればよい。また、前記振幅検出回路４４から入力される振幅値と前記第２電流値との対応関係を示す対応情報が前記ＲＯＭ４６２に予め記憶されており、前記前記ＣＰＵ４６１が前記対応情報に基づいて前記第２電流値の値を設定することも他の実施形態として考えられる。例えば、前記対応情報は、前記振幅検出回路４４から入力される振幅値を前記ＡＤＣ４２３の定格以内の値にするための前記第２電流値を定められたものである。
【００２０】
［ステップＳ１４］
続くステップＳ１４において、前記ＣＰＵ４６１は、前記タイミング制御回路４２５を制御して、前記タイミング制御回路４２５から前記ＣＤＳ４２１に入力される前記クランプ信号の周期をビット周期に設定し、前記ＣＤＳ４２１にビットクランプを実行させる。ここに、係る処理が異常対応処理の一例である。
これにより、その後は、前記タイミング制御回路４２５から前記ＣＤＳ４２１にビット周期で前記クランプ信号が入力されることになり、前記ＣＤＳ４２１は前記アナログ画像データのビットクランプを実行することになる。即ち、前記ＣＰＵ４６１は、前記ステップＳ１４において、前記ＣＤＳ４２１における前記アナログ画像データのサンプリング方式を前記ラインクランプから前記ビットクランプに変更し、前記ＣＤＳ４２１に前記ビットクランプを実行させる。
【００２１】
［ステップＳ１５］
そして、ステップＳ１５において、前記ＣＰＵ４６１は、前記画像読取部１を制御することにより画像読取処理を再実行させる。ここで再実行された前記画像読取部１による画像読取処理では、前記ＬＥＤ光源１２１の光量が低下しており、前記ＣＤＳ４２１が前記ビットクランプを実行する。
このように、前記第１電流値の供給電力で前記ＬＥＤ光源１２１が駆動される場合に比べて前記ＬＥＤ光源１２１の光量が低下した状態で前記画像読取処理が実行されると、前記原稿Ｐで鏡面反射して前記ＣＣＤ１６に入力される光量が低下する。そのため、前記ＣＣＤ１６から出力される前記アナログ画像データの振幅を減少させることができ、前記ＡＦＥ４２への過大振幅のアナログ画像データの入力を防止することができる。従って、読取対象の原稿に高反射率の部位が含まれている場合に、ユーザーによる処置を必要とすることなく、前記原稿の画像データの正常な読み取りを実現することができる場合がある。
また、前記ＣＤＳ４２１では前記ビットクランプが実行されるため、前記ＣＣＤ１６から出力される前記アナログ画像データが１ライン上の特定の画素で過大振幅となった場合に、その後の同一ライン上の画素についての前記ＡＤＣ４４による変換が正常に行われる。
【００２２】
［ステップＳ１６］
その後、ステップＳ１６において、前記ＣＰＵ４６１は、前記ステップＳ１１と同様に、前記振幅検出回路４４から入力される振幅値に基づいて、前記ＣＣＤ１６から出力される前記アナログ画像データの振幅が前記異常振幅値以上であるか否かを判断する。
ここで、前記ＣＰＵ４６１は、前記画像読取処理において前記ＣＣＤ１６から振幅が前記異常振幅値以上の前記アナログ画像データが出力されなかったと判断すると（Ｓ１６のＮｏ側）、処理を前記ステップＳ１６１に移行させる。一方、前記ＣＰＵ４６１は、前記画像読取処理において前記ＣＣＤ１６から振幅が前記異常振幅値以上の前記アナログ画像データが出力されたと判断すると（Ｓ１６のＹｅｓ側）、処理をステップＳ１７に移行させる。
【００２３】
［ステップＳ１６１］
ステップＳ１６１において、前記ＣＰＵ４６１は、前記画像読取処理における１枚の原稿の画像読取が終了したか否かを判断する。
ここで、前記画像読取処理における１枚の原稿の画像読取が終了したと判断した場合（Ｓ１６１のＹｅｓ側）、前記ＣＰＵ４６１は処理をステップＳ１８に移行させる。これにより、前記ステップＳ１３及び前記ステップＳ１４における設定がリセットされるため、次の原稿の画像読取では通常の画像読取処理が実行される。
一方、前記画像読取処理における１枚の原稿の画像読取が終了したと判断した場合（Ｓ１６１のＮｏ側）、前記ＣＰＵ４６１は処理を前記ステップＳ１６に戻す。一方、
【００２４】
［ステップＳ１７］
ステップＳ１７において、前記ＣＰＵ４６１は、再実行された前記画像読取処理を中止させ、前記アナログ画像データの振幅が前記異常振幅以上である旨を示すエラー情報を前記操作表示部５に表示させる。ここに、係る処理が異常対応処理の一例である。
例えば、前記エラー情報には、鏡面反射により原稿から画像データが読み取れない旨が含まれることが考えられる。これにより、前記原稿からの鏡面反射により前記ＣＣＤ１６から過大振幅のアナログ画像データが出力されている旨をユーザーに報知して、前記原稿にフィルムを被せて再度の読み取りを実行するなどの処置を促すことができる。なお、前記ＣＰＵ４６１が、前記ステップＳ１１で前記アナログ画像データの振幅が前記異常振幅以上であると判断された場合にも前記エラー情報を表示することが考えられる。
【００２５】
［ステップＳ１８］
ステップＳ１８において、前記ＣＰＵ４６１は、前記タイミング制御回路４２５及び前記ＬＥＤドライバー４５の設定をリセットすることにより初期設定に戻し、一連の前記異常対応処理を終了させて処理を前記ステップＳ１１に戻す。
即ち、前記ＣＰＵ４６１は、前記タイミング制御回路４２５から前記ＣＤＳ４２１に入力される前記クランプ信号の周期をビット周期から初期値のライン周期に戻す。また、前記ＣＰＵ４６１は、前記ＬＥＤドライバー４５から前記ＬＥＤ光源１２１への供給電力の電流値を前記第２電流値から前記第１電流値に戻す。
【００２６】
以上説明したように、前記複合機Ｘでは、前記ＣＰＵ４６１が、前記アナログ画像データが過大振幅である場合に、予め設定された異常対応処理を実行する。具体的に、前記複合機Ｘでは、前記ステップＳ１３及び１４の異常対応処理が実行されることにより、前記ＣＤＳ４２１及び前記ＡＤＳ４２３の誤動作が防止され、前記ＡＤＳ４２３による誤変換も防止される。また、前記複合機Ｘでは、前記アナログ画像データの過大振幅が解決されない場合に前記エラー情報が前記操作表示部５に表示されるため（Ｓ１７）、原稿の反射率を下げるために原稿にフィルムを被せる等の処置をユーザーに促すこともできる。
【００２７】
［他の実施形態］
ところで、前記実施の形態では、前記ＣＣＤ１６から過大振幅のアナログ画像データが出力された場合に、前記ステップＳ１３及び前記ステップＳ１４が共に実行される場合を例に挙げて説明したがこれに限らない。例えば、前記ＣＰＵ４６１が、前記ＣＣＤ１６から過大振幅のアナログ画像データが出力された場合に、前記ステップＳ１３及びＳ１４のいずれか一方のみを実行することが他の実施形態として考えられる。
また、前記ＣＰＵ４６１が、前記ＣＣＤ１６から過大振幅のアナログ画像データが出力された場合に、前記ステップＳ１３及びＳ１４のいずれか一方のみを実行し、再度の画像読取処理を実行しても過大振幅が解消しない場合に他方の処理を実行することも考えられる。
さらに、前記ＣＰＵ４６１が、前記ＣＣＤ１６から過大振幅の前記アナログ画像データが出力された場合に、前記ステップＳ１３及びＳ１４に代えて、前記エラー情報を前記操作表示部５に表示する処理を実行することも考えられる。もちろん、前記ＣＰＵ４６１が、前記ステップＳ１３及びＳ１４のいずれか一方及び両方と前記報知処理とを共に実行することも考えられる。
また、前記ＣＰＵ４６１が、前記アナログ画像データの振幅が前記異常振幅値以上である状態が継続する場合に（Ｓ１６のＹｅｓ側）、前記ＬＥＤ光源５２１の光量を少しずつ低下させて繰り返し前記画像読取処理を実行させることも考えられる。この場合、前記ＣＰＵ４６１は、予め設定された回数だけ前記ステップＳ１６で前記アナログ画像データの振幅が前記異常振幅値以上であると判断したことを条件に前記ステップＳ１７に移行させることが考えられる。
【符号の説明】
【００２８】
１  ：画像読取部
１１：コンタクトガラス
１２：読取ユニット
１３、１４：ミラー
１５：光学レンズ
１６：ＣＣＤ
２  ：ＡＤＦ
３  ：画像形成部
４  ：制御部
４１：カップリングコンデンサ
４２：ＡＦＥ
４２１：ＣＤＳ
４２２：ＡＧＣ
４２３：ＡＤＣ
４２４：ＤＳＰ
４２５：タイミング制御回路
４３：ＡＳＩＣ
４４：振幅検出回路
４５：ＬＥＤドライバー
４６：メイン制御部
４６１：ＣＰＵ
４６２：ＲＯＭ
４６３：ＲＡＭ
４６４：ＳＤＲＡＭ
５  ：操作表示部
Ｐ  ：原稿
Ｓ１１、Ｓ１２、・・・：処理手順（ステップ）番号
Ｘ  ：複合機（画像読取装置、画像形成装置の一例）
【図１】
2014068241.tif 000003
【図２】
2014068241.tif 000004
【図３】
2014068241.tif 000005